(57)【要約】【課題】容易に且つ円滑にスタンドを使用することができる電子機器を提供する。【解決手段】電子機器１０は、その背面１２ａにスタンド１４を備える。スタンド１４は、開放端部１４ｂ側に並んで設けられた第１磁石２４Ｎ及び第２磁石２４Ｓを有し、機器筐体１２は、スタンド１４が収納位置にある状態で第１磁石２４Ｎと対向した場合に互いに吸着すると共に、第２磁石２４Ｓと対向した場合に互いに反発する極性を持った筐体側磁石２６Ｓと、筐体側磁石２６Ｓを第１磁石２４Ｎと対向する閉じ位置と第２磁石２４Ｓと対向する開き位置とに移動させるスライド部材３２と、スライド部材３２をスライドさせて筐体側磁石２６Ｓを閉じ位置と開き位置とに移動させる操作部３４とを有する。【選択図】図２
2017120803.tif 000002
【特許請求の範囲】
【請求項１】
機器筐体に対してヒンジ部を介して回動可能に連結され、前記機器筐体の背面に沿った収納位置と前記背面から突出した起立位置とに回動可能なスタンドを備え、前記スタンドを前記起立位置に設定することで前記機器筐体を起立姿勢に保持可能な電子機器であって、
前記スタンドは、前記ヒンジ部に連結された支持端部側とは反対側の開放端部側に並んで設けられた第１磁石及び第２磁石を有すると共に、該第１磁石及び該第２磁石は前記機器筐体の背面側に臨む極が異なるように設定されており、
前記機器筐体は、前記スタンドが前記収納位置にある状態で前記スタンドの前記第１磁石と対向した場合に互いに吸着すると共に、前記第２磁石と対向した場合に互いに反発する極性を持った筐体側磁石と、前記機器筐体内でスライド可能に設けられ、前記筐体側磁石を前記第１磁石と対向する閉じ位置と前記第２磁石と対向する開き位置とに移動させるスライド部材と、該スライド部材をスライドさせて前記筐体側磁石を前記閉じ位置と前記開き位置とに移動させる操作部とを有することを特徴とする電子機器。
【請求項２】
請求項１記載の電子機器において、
前記筐体側磁石が前記開き位置から前記閉じ位置に向かう方向に前記スライド部材を付勢する第１弾性部材を有することを特徴とする電子機器。
【請求項３】
請求項１又は２記載の電子機器において、
前記ヒンジ部は、前記スタンドを前記収納位置と前記起立位置との間の所定角度位置に保持する中間ロック機構を有することを特徴とする電子機器。
【請求項４】
請求項３記載の電子機器において、
前記ヒンジ部は、前記収納位置にあるスタンドを前記起立位置に向かう回動方向に付勢する第２弾性部材を有することを特徴とする電子機器。
【請求項５】
請求項４記載の電子機器において、
前記中間ロック機構は、前記スタンドと共に前記ヒンジ部の軸周りに回転するスタンド取付部と、該スタンド取付部に設けられた第１カム面に摺接可能な第２カム面が設けられ、前記ヒンジ部の軸方向に沿って移動可能な状態で前記第２弾性部材によって前記第２カム面が前記第１カム面に近接する方向に付勢されたカム部材とを有し、前記第２カム面で前記第１カム面を当接保持することで前記スタンドを前記所定角度位置に保持することを特徴とする電子機器。
【請求項６】
請求項１〜５のいずれか１項に記載の電子機器において、
前記ヒンジ部は、前記スタンドが前記収納位置から前記起立位置に向かう回動方向で、前記収納位置から第１角度位置までの間の回動トルクが、前記第１角度位置から前記起立位置までの間の回動トルクよりも小さく設定されていることを特徴とする電子機器。
【請求項７】
請求項１〜６のいずれか１項に記載の電子機器において、
前記スタンドは、前記第１磁石及び前記第２磁石を前記開放端部の一側部側に有すると共に、前記開放端部の他側部側に第３磁石又は被吸着体を有し、
前記機器筐体は、前記スタンドが前記収納位置にある状態で前記スタンドの前記第３磁石又は前記被吸着体と対向して互いに吸着する前記被吸着体又は前記第３磁石を有することを特徴とする電子機器。 
【発明の詳細な説明】
【技術分野】
【０００１】
本発明は、機器筐体の背面に起立用のスタンドを回動可能に設けた電子機器に関する。
【背景技術】
【０００２】
近年、タッチパネル式の液晶ディスプレイを有し、物理的なキーボードを持たないタブレット型パーソナルコンピュータ（タブレット型ＰＣ）が急速に普及している。通常、タブレット型ＰＣは、手で把持した状態で操作する場合と机上等に置いた状態で操作する場合とがあり、机上等に置いた状態で操作する場合にはスタンドを利用して立てた起立姿勢で使用されることがある。
【０００３】
例えば特許文献１には、その背面にヒンジを介して回動可能に設けられたスタンドを有する電子機器が開示されている。
【先行技術文献】
【特許文献】
【０００４】
【特許文献１】特開２００９−１５８６６９号公報
【発明の概要】
【発明が解決しようとする課題】
【０００５】
上記特許文献１記載の構成では、電子機器の背面に沿って収納された状態にあるスタンドを使用する際には、スタンドの端部を使用者が指先や爪で引っ掛けて背面から引き起こす必要がある。このため、例えば指の太い使用者や爪の短い使用者の場合はスタンドを容易に且つ円滑に起こすことができない可能性がある。
【０００６】
本発明は、上記従来技術の課題を考慮してなされたものであり、容易に且つ円滑にスタンドを使用することができる電子機器を提供することを目的とする。
【課題を解決するための手段】
【０００７】
本発明に係る電子機器は、機器筐体に対してヒンジ部を介して回動可能に連結され、前記機器筐体の背面に沿った収納位置と前記背面から突出した起立位置とに回動可能なスタンドを備え、前記スタンドを前記起立位置に設定することで前記機器筐体を起立姿勢に保持可能な電子機器であって、前記スタンドは、前記ヒンジ部に連結された支持端部側とは反対側の開放端部側に並んで設けられた第１磁石及び第２磁石を有すると共に、該第１磁石及び該第２磁石は前記機器筐体の背面側に臨む極が異なるように設定されており、前記機器筐体は、前記スタンドが前記収納位置にある状態で前記スタンドの前記第１磁石と対向した場合に互いに吸着すると共に、前記第２磁石と対向した場合に互いに反発する極性を持った筐体側磁石と、前記機器筐体内でスライド可能に設けられ、前記筐体側磁石を前記第１磁石と対向する閉じ位置と前記第２磁石と対向する開き位置とに移動させるスライド部材と、該スライド部材をスライドさせて前記筐体側磁石を前記閉じ位置と前記開き位置とに移動させる操作部とを有することを特徴とする。
【０００８】
このような構成によれば、収納位置にあるスタンドを使用する際は、操作部をスライド操作して筐体側磁石を第２磁石に対向する開き位置に移動させるだけで、筐体側磁石と第２磁石との間の反発力によってスタンドがポップアップする。このため、使用者はポップアップしたスタンドを持ち上げるだけで起立位置まで回動させることができ、スタンドの容易且つ円滑な使用が可能となる。またスタンドが収納位置にある状態では第１磁石が筐体側磁石に吸着するため、収納位置を安定して保持することができる。
【０００９】
前記筐体側磁石が前記開き位置から前記閉じ位置に向かう方向に前記スライド部材を付勢する第１弾性部材を有する構成であってもよい。そうすると、通常時には筐体側磁石を閉じ位置に配置しておくことができ、スタンドを収納位置に容易に保持することができると共にこの状態から円滑にポップアップ作動させることができる。
【００１０】
前記ヒンジ部は、前記スタンドを前記収納位置と前記起立位置との間の所定角度位置に保持する中間ロック機構を有する構成であってもよい。そうすると、操作部の操作によってポップアップしたスタンドをその状態で保持することができ、ポップアップしたスタンドが再び収納位置に閉じることが防止され、スタンドの操作性が一層向上する。
【００１１】
前記ヒンジ部は、前記収納位置にあるスタンドを前記起立位置に向かう回動方向に付勢する第２弾性部材を有する構成であってもよい。そうすると、筐体側磁石と第２磁石との間の反発力に加えて、第２弾性部材による付勢力を用いてスタンドをより円滑にポップアップさせることができる。
【００１２】
前記中間ロック機構は、前記スタンドと共に前記ヒンジ部の軸周りに回転するスタンド取付部と、該スタンド取付部に設けられた第１カム面に摺接可能な第２カム面が設けられ、前記ヒンジ部の軸方向に沿って移動可能な状態で前記第２弾性部材によって前記第２カム面が前記第１カム面に近接する方向に付勢されたカム部材とを有し、前記第２カム面で前記第１カム面を当接保持することで前記スタンドを前記所定角度位置に保持する構成であってもよい。そうすると、互いに摺接するカム面を用いた簡素な構造でスタンドの所定角度位置での保持が可能となる。
【００１３】
前記ヒンジ部は、前記スタンドが前記収納位置から前記起立位置に向かう回動方向で、前記収納位置から第１角度位置までの間の回動トルクが、前記第１角度位置から前記起立位置までの間の回動トルクよりも小さく設定された構成であってもよい。そうすると、スタンドのより円滑なポップアップ動作と、起立位置での安定性向上とが図られる。
【００１４】
前記スタンドは、前記第１磁石及び前記第２磁石を前記開放端部の一側部側に有すると共に、前記開放端部の他側部側に第３磁石又は被吸着体を有し、前記機器筐体は、前記スタンドが前記収納位置にある状態で前記スタンドの前記第３磁石又は前記被吸着体と対向して互いに吸着する前記被吸着体又は前記第３磁石を有する構成であってもよい。そうすると、収納位置でのスタンドのがたつきをより抑えることができる。
【発明の効果】
【００１５】
本発明によれば、収納位置にあるスタンドを使用する際は、操作部をスライド操作して筐体側磁石を第２磁石に対向する閉じ位置に移動させるだけで、筐体側磁石と第２磁石との間の反発力によってスタンドがポップアップする。このため、使用者はポップアップしたスタンドを持ち上げるだけで起立位置まで回動させることができ、スタンドの容易且つ円滑な使用が可能となる。
【図面の簡単な説明】
【００１６】
【図１】図１は、本発明の一実施形態に係る電子機器を模式的に示した斜視図である。
【図２】図２は、図１に示す電子機器を背面側から見た斜視図である。
【図３】図３は、図１に示す電子機器の背面図である。
【図４】図４は、図３中のＩＶ−ＩＶに沿う模式断面図であり、図４（Ａ）は、スタンドを収納位置とした状態を示す図であり、図４（Ｂ）は、スタンドをポップアップさせた状態を示す図であり、図４（Ｃ）は、スタンドを起立位置とした状態を示す図である。
【図５】図５は、スタンドを収納位置とした状態での図３中のＶ−Ｖ線に沿う模式断面図である。
【図６】図６は、スタンドをポップアップさせた状態での図３中のＶ−Ｖ線に沿う模式断面図である。
【図７】図７は、スタンドを収納位置とした状態での図３中のＶＩＩ−ＶＩＩ線に沿う模式断面図である。
【図８】図８は、スタンドをポップアップさせた状態での図３中のＶＩＩ−ＶＩＩ線に沿う模式断面図である。
【図９】図９は、スタンドを収納位置とした状態でのヒンジ部の状態を示す要部拡大斜視図である。
【図１０】図１０は、スタンドをポップアップさせた状態でのヒンジ部の状態を示す要部拡大斜視図である。
【図１１】図１１は、スタンドを起立位置とした状態でのヒンジ部の状態を示す要部拡大斜視図である。
【発明を実施するための形態】
【００１７】
以下、本発明に係る電子機器について好適な実施の形態を挙げ、添付の図面を参照しながら詳細に説明する。
【００１８】
図１は、本発明の一実施形態に係る電子機器１０を模式的に示した斜視図であり、図２は、図１に示す電子機器１０を背面側から見た斜視図である。図３は、図１に示す電子機器１０の背面図である。
【００１９】
本実施形態に係る電子機器１０は、機器筐体１２の背面１２ａに回動可能なスタンド１４を備え、机等の上で起立姿勢に保持可能なタブレット型ＰＣである。本発明は、タブレット型ＰＣやスマートフォン、電子手帳等の携帯用情報機器の他、ディスプレイ装置や端末装置等、各種電子機器に利用可能である。
【００２０】
図１〜図３に示すように、電子機器１０は、機器筐体１２の表面１２ｂにタッチパネル式の液晶表示部からなるディスプレイ１６を備える。機器筐体１２は、背面１２ａの樹脂製の背面カバー１２ｃと、表面１２ｂ側の樹脂製の表面カバー１２ｄとで薄い箱状に形成されている（図４参照）。機器筐体１２の内部には、図示しない基板、演算装置及びメモリ等の各種電子部品が収納されている。
【００２１】
スタンド１４は、外周に沿う三辺縁部が中央部よりも多少厚肉に形成された樹脂製の薄板状部材である。スタンド１４は、機器筐体１２の背面カバー１２ｃの下端側に左右一対設けられたヒンジ部１８，１９を介して機器筐体１２に回動可能に連結されている。スタンド１４は、機器筐体１２の背面１２ａに形成された浅い段付きの凹部２０に収納可能である。スタンド１４の左右両側部のヒンジ部１８，１９付近には、それぞれ支持端部１４ａが突出形成されている。スタンド１４は、各支持端部１４ａにヒンジ部１８，１９の各スタンド取付部２２が締結固定されることで機器筐体１２に対して回動可能に支持される。
【００２２】
スタンド１４は、凹部２０に収納されて機器筐体１２の背面１２ａに沿って略面一に形成される収納位置（図３及び図４（Ａ）参照）と、ヒンジ部１８，１９を介して支持端部１４ａ側とは反対側の開放端部１４ｂを背面１２ａから離間させる方向に回動させた起立位置（図２及び図４（Ｃ）参照）とに回動可能である。スタンド１４は、起立位置において開放端部１４ｂ側が背面１２ａから大きく突出した状態となる。スタンド１４は、この突出した開放端部１４ｂと機器筐体１２の底面１２ｅとを机等の上に着地させることで当該電子機器１０を起立姿勢に保持することができる。
【００２３】
図４は、図３中のＩＶ−ＩＶに沿う模式断面図であり、図４（Ａ）は、スタンド１４を収納位置とした状態を示す図であり、図４（Ｂ）は、スタンド１４をポップアップさせた状態を示す図であり、図４（Ｃ）は、スタンド１４を起立位置とした状態を示す図である。図５は、スタンド１４を収納位置とした状態での図３中のＶ−Ｖ線に沿う模式断面図であり、図６は、スタンド１４をポップアップさせた状態での図３中のＶ−Ｖ線に沿う模式断面図である。また、図７は、スタンド１４を収納位置とした状態での図３中のＶＩＩ−ＶＩＩ線に沿う模式断面図であり、図８は、スタンド１４をポップアップさせた状態での図３中のＶＩＩ−ＶＩＩ線に沿う模式断面図である。
【００２４】
図３、図５及び図６に示すように、スタンド１４の開放端部１４ｂ近傍の一側部側（図３中で右側）には、第１磁石（吸着用磁石）２４Ｎと第２磁石（反発用磁石）２４Ｓとが並んで設けられている。第１磁石２４Ｎと第２磁石２４Ｓは機器筐体１２の背面１２ａ側、つまりスタンド１４の内面１４ｃに臨む極が互いに異なるように設定されている。本実施形態では、スタンド１４の内方寄りの第１磁石２４Ｎを内面１４ｃにＮ極が臨むように配置し、スタンド１４の外方寄りの第２磁石２４Ｓを内面１４ｃにＳ極が臨むように配置している。つまり、第１磁石２４ＮにはＳ極の磁石を吸着可能であり、第２磁石２４ＳにはＮ極の磁石を吸着可能である。
【００２５】
機器筐体１２の凹部２０には、収納位置としたスタンド１４の第１磁石２４Ｎ及び第２磁石２４Ｓと対向する位置に筐体側磁石２６Ｓが設けられている。筐体側磁石２６Ｓは、Ｓ極がスタンド１４の内面１４ｃ（凹部２０の表面）に臨むように配置されている。筐体側磁石２６Ｓは、第１磁石２４Ｎに対向する位置と第２磁石２４Ｓに対向する位置とに択一的に移動可能である。筐体側磁石２６Ｓは、第１磁石２４Ｎと吸着してスタンド１４を収納位置に保持する保持機能（図４（Ａ）及び図５参照）と、第２磁石２４Ｓと反発して収納位置にあるスタンド１４を開き方向に回動させるポップアップ機能（図４（Ｂ）及び図６参照）とを発生するものである。
【００２６】
図５及び図６に示すように、機器筐体１２内には、第１磁石２４Ｎ及び第２磁石２４Ｓが並ぶ方向（図５中で左右方向）に沿ってスライド可能なスライド部材３２が設けられている。スライド部材３２の一端側には筐体側磁石２６Ｓが保持されている。スライド部材３２の他端側には操作部３４が一体的に固定されている。操作部３４は、機器筐体１２の背面１２ａに形成された凹部３６内にスライド可能に配設された操作ノブ３４ａを有する。操作ノブ３４ａは、使用者が指先や爪を引っ掛け可能な段差を有し、スライド部材３２を介して筐体側磁石２６Ｓをスライドさせるための突起である。
【００２７】
スライド部材３２のスライド量は、凹部３６内での操作ノブ３４ａのスライド位置によって制御される。スライド部材３２は、一端側で保持した筐体側磁石２６Ｓがスタンド１４の第１磁石２４Ｎと対向する位置（閉じ位置）から第２磁石２４Ｓと対向する位置（開き位置）までスライド可能である。操作ノブ３４ａは、機器筐体１２の背面１２ａではなく側面等に設けられてもよい。
【００２８】
スライド部材３２における操作部３４側の他端面と機器筐体１２に設けられた支持片３８との間には、コイルばね（第１弾性部材）４０が配設されている。コイルばね４０は、筐体側磁石２６Ｓが操作ノブ３４ａの近位側の第２磁石２４Ｓから遠位側の第１磁石２４Ｎに向かう方向に移動するようにスライド部材３２を常時付勢している。操作ノブ３４ａに外力が付与されていない状態では、スライド部材３２はコイルばね４０の付勢力によって最も前進した位置にあり、筐体側磁石２６Ｓが第１磁石２４Ｎと対向している（図５参照）。
【００２９】
図３、図７及び図８に示すように、スタンド１４の開放端部１４ｂ近傍の他側部側（図３中で左側）には、第３磁石４２が設けられている。機器筐体１２の凹部２０には、収納位置としたスタンド１４の第３磁石４２と対向する位置に被吸着体４４が設けられている。被吸着体４４は、磁石に吸着可能な金属板である。第３磁石４２は、スタンド１４が収納位置とされた場合に被吸着体４４と吸着し、スタンド１４を収納位置に保持する保持機能（図７参照）を発生する。スタンド１４側に被吸着体４４を設け、機器筐体１２側に第３磁石４２を設けてもよい。
【００３０】
本実施形態では、第３磁石４２と被吸着体４４との間を磁石と金属との間での吸着構造とすることでその吸着力を、磁石同士の吸着となる第１磁石２４Ｎと筐体側磁石２６Ｓとの間の吸着力よりも小さく設定している。換言すれば、磁石同士の反発となる第２磁石２４Ｓと筐体側磁石２６Ｓとの間の反発力よりも第３磁石４２と被吸着体４４との間の吸着力が小さく設定されることが好ましい。勿論、スタンド１４側と機器筐体１２側の両者を互いに吸着する磁石で構成し、その吸着力を第２磁石２４Ｓと筐体側磁石２６Ｓとの間の反発力よりも小さく設定してもよい。
【００３１】
図９は、スタンド１４を収納位置とした状態でのヒンジ部１８の状態を示す要部拡大斜視図であり、図１０は、スタンド１４をポップアップさせた状態でのヒンジ部１８の状態を示す要部拡大斜視図である。また、図１１は、スタンド１４を起立位置とした状態でのヒンジ部１８の状態を示す要部拡大斜視図である。
【００３２】
スタンド１４の第１磁石２４Ｎ及び第２磁石２４Ｓが設けられた一側部側の支持端部１４ａと連結された一方のヒンジ部１８は、図９〜図１１に示すように、回動軸４６と、回動軸４６周りに回転可能なスタンド取付部２２を所定角度位置に保持する中間ロック機構４８とを有する。
【００３３】
回動軸４６は、凹部２０のスタンド１４の支持端部１４ａが収納される部分を跨ぐように機器筐体１２（背面カバー１２ｃ）に連結固定された軸部材である（図３も参照）。
【００３４】
中間ロック機構４８は、スタンド１４を収納位置（図４（Ａ）参照）と起立位置（図４（Ｃ）参照）との間の所定角度位置（例えば収納位置を０度とすると１０度）であるポップアップ位置（図４（Ｂ）参照）に保持する機構である。中間ロック機構４８は、スタンド取付部２２と、カム部材５０とを備える。
【００３５】
スタンド取付部２２は、回動軸４６の軸周りに回転可能に設けられた回転筒部５２と、回転筒部５２の外周面から突出した取付板５４と、回動軸４６の軸周りに回転可能に設けられ、回転筒部５２及び取付板５４と一体的に連結固定された回転カム部５６とを有する。取付板５４は図示しないねじ等の締結具を用いてスタンド１４の支持端部１４ａと締結固定される。これにより、スタンド１４とスタンド取付部２２の回転筒部５２、取付板５４及び回転カム部５６とが、回動軸４６の軸周りに一体的に回動する。回転カム部５６は、回動軸４６が内挿された筒状部分の端面に第１カム面５６ａを有する。第１カム面５６ａは、回動軸４６の周方向に向かって軸方向に傾斜した傾斜面である。
【００３６】
本実施形態の場合、回転筒部５２と回動軸４６との間には、スタンド１４が収納位置から起立位置に向かう方向で、収納位置から第１角度位置（本実施形態ではポップアップ位置）までの回動トルクが、この第１角度位置から起立位置までの回動トルクよりも小さく設定されている。換言すれば、スタンド１４の収納位置からポップアップ位置までの回動トルクがほとんどゼロに設定される一方、少なくとも起立位置では最大の回動トルクを発生するように設定されている。
【００３７】
カム部材５０は、回動軸４６の軸周りに回転不能に且つ軸方向に移動可能な状態で該回動軸４６に外挿された筒状部材であり、回転カム部５６と隣接配置されている。カム部材５０は、回転カム部５６側の端面に該回転カム部５６の第１カム面５６ａと摺接可能に対向する第２カム面５０ａを有する。第２カム面５０ａは、回動軸４６の周方向に向かって軸方向に傾斜した傾斜面であり、第１カム面５６ａと対称形状である。カム部材５０の回転カム部５６側とは反対側の端面と回動軸４６の端部に螺合された端部ナット５８の端面との間には、コイルばね（第２弾性部材）６０が配設されている。コイルばね６０は、第２カム面５０ａが第１カム面５６ａに近接する方向にカム部材５０を常時付勢している。
【００３８】
なお、図３に示すように、スタンド１４の第３磁石４２が設けられた他側部側の支持端部１４ａと連結された他方のヒンジ部１９は、上記した一方のヒンジ部１８から回転カム部５６、カム部材５０及びコイルばね６０を省略した構成である。すなわち具体的な図示は省略するが、ヒンジ部１９は、回動軸４６と、回転筒部５２及び取付板５４を有するスタンド取付部２２とを備える。ヒンジ部１９はヒンジ部１８と同様な構成であってもよい。
【００３９】
次に、電子機器１０のスタンド１４を使用する動作を説明する。
【００４０】
先ず、図４（Ａ）に示すようにスタンド１４が収納位置にある状態では、図５に示すようにスライド部材３２がコイルばね４０の付勢力によって最も前進した位置にあり、筐体側磁石２６Ｓがスタンド１４側の第１磁石２４Ｎと対向した閉じ位置にある。このため、筐体側磁石２６Ｓと第１磁石２４Ｎとの間で吸着力が発生している。さらに図７に示すように被吸着体４４がスタンド１４側の第３磁石４２と対向し、両者に吸着力が発生している。これにより、スタンド１４はその開放端部１４ｂの両側部が機器筐体１２側に吸着されるため、がたつきなく安定した状態で収納位置に保持されている。
【００４１】
この状態では、ヒンジ部１８は、図９に示すようにカム部材５０の第２カム面５０ａがスタンド取付部２２の回転カム部５６の第１カム面５６ａと僅かに噛み合うように当接した位置にある。このため、コイルばね６０の付勢力によって第２カム面５０ａが第１カム面５６ａに近接する方向、つまり第１カム面５６ａを介してスタンド１４を収納位置から起立位置に向かう開き方向に弾性的に押圧している。但し、上記のようにスタンド１４はその開放端部１４ｂ側が機器筐体１２に対して吸着保持されているため、第２カム面５０ａの第１カム面５６ａに対する押圧力によってスタンド１４が開くことはない。
【００４２】
次に、収納位置にあるスタンド１４を起立位置に回動させる際は、操作ノブ３４ａをスタンド１４から離間する解除方向（図３及び図５中で右方向）にスライド操作する。これにより、図６に示すようにスライド部材３２がコイルばね４０の付勢力に抗してスライドし、筐体側磁石２６Ｓがスタンド１４側の第２磁石２４Ｓと対向した開き位置となる。このため、図６及び図８に示すように、筐体側磁石２６Ｓと第２磁石２４Ｓとの間で反発力が発生し、第３磁石４２と被吸着体４４との間の吸着力を遮ってスタンド１４の開放端部１４ｂ側を上昇（ポップアップ）させる。
【００４３】
この際、ヒンジ部１８では、図９に示すようにコイルばね６０の付勢力によって第２カム面５０ａが第１カム面５６ａを介してスタンド１４を収納位置から起立位置に向かう開き方向に押圧している（図９中の実線矢印参照）。このため、筐体側磁石２６Ｓと第２磁石２４Ｓとの間での反発力と共に、ヒンジ部１８のコイルばね６０の付勢力が加わるため、スタンド１４は第３磁石４２と被吸着体４４との間の吸着力にかかわらず確実にポップアップする。しかもヒンジ部１８，１９では、スタンド取付部２２の回転筒部５２と回動軸４６との間での回動トルクが収納位置から少なくともポップアップ位置まではゼロ又は微小に設定されている。このため、スタンド１４をより円滑にポップアップさせることができる。
【００４４】
このようにスタンド１４がポップアップするのに伴い、ヒンジ部１８ではスタンド１４と共に回転カム部５６が回転し、第１カム面５６ａが第２カム面５０ａから退避する方向に移動する。そうすると、第２カム面５０ａはコイルばね６０の付勢力によって第１カム面５６ａと摺接しつつ、第１カム面５６ａを追いかけるように軸方向に移動する（図１０中の実線矢印参照）。そして、カム部材５０と回転カム部５６の端面同士が当接してカム部材５０の移動が規制されると、図１０に示すように第２カム面５０ａと第１カム面５６ａとが完全に噛み合うように当接する。その結果、第１カム面５６ａの回転が第２カム面５０ａによって規制されるため、取付板５４に締結されたスタンド１４の収納位置に戻る方向の回動が規制される。
【００４５】
これにより、スタンド１４が図４（Ｂ）及び図１０に示すようにポップアップ位置に保持された状態（中間ロック状態）となる。つまり当該電子機器１０では、スタンド１４が収納位置にある状態から操作ノブ３４ａを解除方向にスライド操作するだけで、スタンド１４が自動的にポップアップすると同時にポップアップ位置に保持される。
【００４６】
なお、操作ノブ３４ａに対する外力を解除すると、コイルばね４０の付勢力によってスライド部材３２及び操作ノブ３４ａが保持方向にスライドし、筐体側磁石２６Ｓが再び第１磁石２４Ｎ側と対向する閉じ位置となる。しかしながら、スタンド１４はポップアップ位置に保持されているため、筐体側磁石２６Ｓと第１磁石２４Ｎとの間には吸着力がほとんど発生しない十分な間隔が確保されるため、両者の吸着力によってスタンド１４が再び収納位置に戻ろうとすることも防止される。
【００４７】
スタンド１４がポップアップ位置となった後は、その開放端部１４ｂ側を指先等で持ち上げてスタンド１４を図２及び図４（Ｃ）に示す起立位置まで回動させる。これにより、スタンド１４を介して電子機器１０を起立姿勢に保持することが可能となる。この際、ヒンジ部１８，１９では、スタンド取付部２２の回転筒部５２と回動軸４６との間での回動トルクが少なくとも起立位置では最大となるように設定されているため、スタンド１４の起立位置がよりがたつきなく安定して保持される。
【００４８】
一方、図４（Ｃ）に示すように起立位置にあるスタンド１４を収納位置まで回動させる際は、スタンド１４の開放端部１４ｂ側を指先等で押し倒す。そうすると、ヒンジ部１８では、図１１に示す起立位置での状態から図１１中に破線矢印で示す方向にスタンド１４が回動する。その結果、図１０に示すポップアップ位置で第１カム面５６ａと第２カム面５０ａが当接する。その状態からさらにスタンド１４を押し倒すことで、第２カム面５０ａが第１カム面５６ａからの押圧力を受けてカム部材５０が軸方向に後退し（図１０中の破線矢印参照）、再び図９に示す状態となる。
【００４９】
同時に、スタンド１４はその開放端部１４ｂ側の第１磁石２４Ｎ及び第３磁石４２が、筐体側磁石２６Ｓ及び被吸着体４４に吸着する（図５及び図７参照）。その結果、スタンド１４が再び図４（Ａ）に示す収納位置に保持される。
【００５０】
以上のように、本実施形態に係る電子機器１０において、スタンド１４は、ヒンジ部１８，１９に連結された支持端部１４ａ側とは反対側の開放端部１４ｂ側に並んで設けられた第１磁石２４Ｎ及び第２磁石２４Ｓを有すると共に、第１磁石２４Ｎ及び第２磁石２４Ｓは機器筐体１２の背面１２ａ側に臨む極が異なるように設定されている。また、機器筐体１２は、スタンド１４が収納位置にある状態で第１磁石２４Ｎと対向した場合に互いに吸着すると共に、第２磁石２４Ｓと対向した場合に互いに反発する極性を持った筐体側磁石２６Ｓと、機器筐体１２内でスライド可能に設けられ、筐体側磁石２６Ｓを第１磁石２４Ｎと対向する閉じ位置と第２磁石２４Ｓと対向する開き位置とに移動させるスライド部材３２と、スライド部材３２をスライドさせて筐体側磁石２６Ｓを閉じ位置と開き位置とに移動させる操作部３４とを有する。
【００５１】
従って、収納位置にあるスタンド１４を使用する際は、操作部３４の操作ノブ３４ａをスライド操作して筐体側磁石２６Ｓを第２磁石２４Ｓに対向する開き位置に移動させるだけで、筐体側磁石２６Ｓと第２磁石２４Ｓとの間の反発力によってスタンド１４がポップアップする。このため、使用者はポップアップしたスタンド１４の開放端部１４ｂ側を持ち上げるだけでスタンド１４を起立位置まで回動させることができ、スタンド１４の容易且つ円滑な使用が可能となる。またスタンド１４が収納位置にある状態では第１磁石２４Ｎが筐体側磁石２６Ｓに吸着するため、収納位置を安定して保持することができる。
【００５２】
しかも当該電子機器１０では、スタンド１４を収納位置で磁石による吸着力で保持し、磁石による反発力でポップアップする構成のため、凹部２０の形状をスタンド１４の形状と略一致した形状に設定することができ、収納位置でスタンド１４ががたつきを生じることも防止できる。換言すれば、例えば機械的な係合手段でスタンド１４を保持する構成では、通常スタンド１４の回動範囲を大きくとったオーバーストロークが必要となるが、当該電子機器１０ではこのオーバーストロークが不要となるため、機器筐体１２の薄型化も図ることができる。
【００５３】
当該電子機器１０では、筐体側磁石２６Ｓが開き位置から閉じ位置に向かう方向にスライド部材３２を付勢するコイルばね４０を有する。このため、通常時には筐体側磁石２６Ｓを閉じ位置に配置しておくことができる。これにより、スタンド１４を収納位置に容易に保持することができると共にこの状態から円滑にポップアップ作動させることができる。
【００５４】
当該電子機器１０においてヒンジ部１８は、スタンド１４を収納位置と起立位置との間の所定角度位置、本実施形態ではポップアップ位置に保持する中間ロック機構４８を備える。これにより、操作部３４の操作によってポップアップしたスタンド１４をその状態で保持することができ、ポップアップしたスタンド１４が再び収納位置に閉じることが防止される。
【００５５】
この場合、ヒンジ部１８は、収納位置にあるスタンド１４を起立位置に向かう回動方向に付勢するコイルばね６０を有する。これにより、筐体側磁石２６Ｓと第２磁石２４Ｓとの間の反発力に加えて、コイルばね６０による付勢力を用いてスタンド１４をより円滑にポップアップさせることができる。また中間ロック機構４８によるスタンド１４のポップアップ位置でのより安定した保持が可能となる。
【００５６】
なお、本発明は、上記した実施形態に限定されるものではなく、本発明の主旨を逸脱しない範囲で自由に変更できることは勿論である。
【符号の説明】
【００５７】
１０  電子機器
１２  機器筐体
１２ａ  背面
１２ｂ  表面
１２ｃ  背面カバー
１２ｄ  表面カバー
１４  スタンド
１４ａ  支持端部
１４ｂ  開放端部
１４ｃ  内面
１６  ディスプレイ
１８，１９  ヒンジ部
２０，３６  凹部
２２  スタンド取付部
２４Ｎ  第１磁石
２４Ｓ  第２磁石
２６Ｓ  筐体側磁石
３２  スライド部材
３４  操作部
３４ａ  操作ノブ
４０，６０  コイルばね
４２  第３磁石
４４  被吸着体
４６  回動軸
４８  中間ロック機構
５０  カム部材
５０ａ  第２カム面
５２  回転筒部
５４  取付板
５６  回転カム部
５６ａ  第１カム面
【図１】
2017120803.tif 000003
【図２】
2017120803.tif 000004
【図３】
2017120803.tif 000005
【図４】
2017120803.tif 000006
【図５】
2017120803.tif 000007
【図６】
2017120803.tif 000008
【図７】
2017120803.tif 000009
【図８】
2017120803.tif 000010
【図９】
2017120803.tif 000011
【図１０】
2017120803.tif 000012
【図１１】
2017120803.tif 000013
【手続補正書】
【提出日】平成28年12月26日(2016.12.26)
【手続補正１】
【補正対象書類名】特許請求の範囲
【補正対象項目名】全文
【補正方法】変更
【補正の内容】
【特許請求の範囲】
【請求項１】
機器筐体に対してヒンジ部を介して回動可能に連結され、前記機器筐体の背面に沿った収納位置と前記背面から突出した起立位置とに回動可能なスタンドを備え、前記スタンドを前記起立位置に設定することで前記機器筐体を起立姿勢に保持可能な電子機器であって、
前記スタンドは、前記ヒンジ部に連結された支持端部側とは反対側の開放端部側に並んで設けられた第１磁石及び第２磁石を有すると共に、該第１磁石及び該第２磁石は前記機器筐体の背面側に臨む極が異なるように設定されており、
前記機器筐体は、前記スタンドが前記収納位置にある状態で前記スタンドの前記第１磁石と対向した場合に互いに吸着すると共に、前記第２磁石と対向した場合に互いに反発する極性を持った筐体側磁石と、前記機器筐体内でスライド可能に設けられ、前記筐体側磁石を前記第１磁石と対向する閉じ位置と前記第２磁石と対向する開き位置とに移動させるスライド部材と、該スライド部材をスライドさせて前記筐体側磁石を前記閉じ位置と前記開き位置とに移動させる操作部とを有し、
前記ヒンジ部は、前記スタンドを前記収納位置と前記起立位置との間の所定角度位置に保持する中間ロック機構を有することを特徴とする電子機器。
【請求項２】
請求項１記載の電子機器において、
前記筐体側磁石が前記開き位置から前記閉じ位置に向かう方向に前記スライド部材を付勢する第１弾性部材を有することを特徴とする電子機器。
【請求項３】
請求項１又は２記載の電子機器において、
前記ヒンジ部は、前記収納位置にあるスタンドを前記起立位置に向かう回動方向に付勢する第２弾性部材を有することを特徴とする電子機器。
【請求項４】
請求項３記載の電子機器において、
前記中間ロック機構は、前記スタンドと共に前記ヒンジ部の軸周りに回転するスタンド取付部と、該スタンド取付部に設けられた第１カム面に摺接可能な第２カム面が設けられ、前記ヒンジ部の軸方向に沿って移動可能な状態で前記第２弾性部材によって前記第２カム面が前記第１カム面に近接する方向に付勢されたカム部材とを有し、前記第２カム面で前記第１カム面を当接保持することで前記スタンドを前記所定角度位置に保持することを特徴とする電子機器。
【請求項５】
機器筐体に対してヒンジ部を介して回動可能に連結され、前記機器筐体の背面に沿った収納位置と前記背面から突出した起立位置とに回動可能なスタンドを備え、前記スタンドを前記起立位置に設定することで前記機器筐体を起立姿勢に保持可能な電子機器であって、
前記スタンドは、前記ヒンジ部に連結された支持端部側とは反対側の開放端部側に並んで設けられた第１磁石及び第２磁石を有すると共に、該第１磁石及び該第２磁石は前記機器筐体の背面側に臨む極が異なるように設定されており、
前記機器筐体は、前記スタンドが前記収納位置にある状態で前記スタンドの前記第１磁石と対向した場合に互いに吸着すると共に、前記第２磁石と対向した場合に互いに反発する極性を持った筐体側磁石と、前記機器筐体内でスライド可能に設けられ、前記筐体側磁石を前記第１磁石と対向する閉じ位置と前記第２磁石と対向する開き位置とに移動させるスライド部材と、該スライド部材をスライドさせて前記筐体側磁石を前記閉じ位置と前記開き位置とに移動させる操作部とを有し、
前記ヒンジ部は、前記スタンドが前記収納位置から前記起立位置に向かう回動方向で、前記収納位置から第１角度位置までの間の回動トルクが、前記第１角度位置から前記起立位置までの間の回動トルクよりも小さく設定されていることを特徴とする電子機器。
【請求項６】
機器筐体に対してヒンジ部を介して回動可能に連結され、前記機器筐体の背面に沿った収納位置と前記背面から突出した起立位置とに回動可能なスタンドを備え、前記スタンドを前記起立位置に設定することで前記機器筐体を起立姿勢に保持可能な電子機器であって、
前記スタンドは、前記ヒンジ部に連結された支持端部側とは反対側の開放端部側に並んで設けられた第１磁石及び第２磁石を有すると共に、該第１磁石及び該第２磁石は前記機器筐体の背面側に臨む極が異なるように設定されており、
前記機器筐体は、前記スタンドが前記収納位置にある状態で前記スタンドの前記第１磁石と対向した場合に互いに吸着すると共に、前記第２磁石と対向した場合に互いに反発する極性を持った筐体側磁石と、前記機器筐体内でスライド可能に設けられ、前記筐体側磁石を前記第１磁石と対向する閉じ位置と前記第２磁石と対向する開き位置とに移動させるスライド部材と、該スライド部材をスライドさせて前記筐体側磁石を前記閉じ位置と前記開き位置とに移動させる操作部とを有し、
前記スタンドは、前記第１磁石及び前記第２磁石を前記開放端部の一側部側に有すると共に、前記開放端部の他側部側に第３磁石又は被吸着体を有し、
前記機器筐体は、前記スタンドが前記収納位置にある状態で前記スタンドの前記第３磁石又は前記被吸着体と対向して互いに吸着する前記被吸着体又は前記第３磁石を有することを特徴とする電子機器。